(57)【要約】      （修正有）【課題】複数本のダンパを備える場合であっても、ダンパの弾発力の調整が容易な緩衝装置を提供する。【解決手段】緩衝装置１０を、ベース１４と、折戸を閉じる動作に伴って当接対象に弾発力を付勢するダンパ１８とで構成する。さらに、ベース１４を、戸板に取り付けられる本体部２４と、本体部２４から突設された突片２８と、突片２８が挿脱される複数の突片挿入穴を有しており、突片２８を挿入する突片挿入穴を変えることによってダンパ１８の位置を変えられるダンパ位置調整部材１９とで構成する。【選択図】図１
2014145180.tif 000002
【特許請求の範囲】
【請求項１】
折戸を構成する戸板の表面に取り付けられるベースと、
前記折戸を閉じる動作に伴って当接対象に弾発力を付勢するダンパとを備えており、
前記ベースは、
前記戸板に取り付けられる本体部と、
前記本体部から突設された突片と、
前記突片が挿脱される複数の突片挿入穴を有しており、前記突片を挿入する前記突片挿入穴を変えることによって前記ダンパの位置を変えられるダンパ位置調整部材とを有している緩衝装置。
【請求項２】
請求項１に記載した緩衝装置を備える折戸。
【発明の詳細な説明】
【技術分野】
【０００１】
本発明は、一般住宅等において使用される折戸の緩衝装置に関し、折戸が急激に閉まって大きな衝撃音や振動が発生するのを防止する緩衝装置およびそれを含む折戸に関する。
【背景技術】
【０００２】
折戸は、一般住宅等におけるクローゼットや物入れにアクセスするための開口を開閉するためのものである。このような折戸は、少なくとも２枚の戸板を備えており、隣り合う戸板同士を蝶番等で互いに水平方向に回動自在に連結するとともに、戸板の上端部あるいは下端部を回動自在に保持することにより、戸板が相互に回動しながら開口を開閉することができるようになっている。
【０００３】
このように、折戸は、戸板同士が回動しながら開口を開閉する構造上、閉めたときに戸板が上下左右の戸枠に当接したり、戸板の木口同士が当接したりする。このため、折戸を勢いよく閉めると大きな衝撃音や振動が発生する。この衝撃や振動は、ユーザに不快感を与えるだけでなく、衝撃や振動が戸板や戸枠に繰り返し加わることによって戸板の損傷や劣化を招く原因となる。また、一旦最後まで閉まった戸板が衝撃によって跳ね返り、折戸が半閉まり状態になるという問題もある。
【０００４】
このような問題を回避するため、特許文献１に示すように、戸板の背面側上部隅にダンパを含む緩衝装置を取り付け、折戸を閉じたときにダンパの先端に取り付けた当接部材を戸枠の表面に当接させることにより、戸板の勢いを当該ダンパで緩衝させて衝撃音や振動の発生を低減する技術が開発されている。
【０００５】
また、特許文献２には、ダンパの位置を前後に調整可能な押圧調整ネジを設けることにより、ダンパの弾発力を調整する技術が開示されている。
【先行技術文献】
【特許文献】
【０００６】
【特許文献１】特開２００８−２４８５９８号公報
【特許文献２】特許第４６４７０３５号公報
【発明の概要】
【発明が解決しようとする課題】
【０００７】
しかしながら、特許文献２の緩衝装置に記載された技術のように、ダンパの位置を前後に調整可能な押圧調整ネジを設けることでダンパの弾発力を調整する技術では調整が簡単ではなく、複数本のダンパを備える緩衝装置であればさらに調整が困難であった。
【０００８】
本発明は、このような従来技術の問題点に鑑みて開発されたものである。それゆえに本発明の主たる課題は、複数本のダンパを備える場合であっても、ダンパの弾発力の調整が容易な緩衝装置およびそれを用いた折戸を提供することにある。
【課題を解決するための手段】
【０００９】
請求項１に記載した発明は、
折戸を構成する戸板の表面に取り付けられるベースと、
前記折戸を閉じる動作に伴って当接対象に弾発力を付勢するダンパとを備えており、
前記ベースは、
前記戸板に取り付けられる本体部と、
前記本体部から突設された突片と、
前記突片が挿脱される複数の突片挿入穴を有しており、前記突片を挿入する前記突片挿入穴を変えることによって前記ダンパの位置を変えられるダンパ位置調整部材とを有している緩衝装置である。
【００１０】
請求項１に記載した緩衝装置によれば、ダンパ位置調整部材におけるどの突片挿入穴に対して、本体部から突設された突片を挿入するかを選択することにより、簡単にダンパの位置を変えて弾発力の調整を行うことができる。
【００１１】
請求項２に記載した発明は、請求項１に記載の緩衝装置を含む折戸である。
【発明の効果】
【００１２】
本発明によれば、複数本のダンパを備える場合であっても、ダンパの弾発力の調整が容易な緩衝装置およびそれを用いた折戸を提供することができた。
【図面の簡単な説明】
【００１３】
【図１】本発明が適用された緩衝装置を示す分解斜視図である。
【図２】ベースの(a)平面図、(b)正面図、および(c)右側面図である。
【図３】ダンパ位置調整部材の底面側を示す斜視図である。
【図４】移動体の(a)平面図、(b)背面図、および(c)右側面図である。
【図５】移動体の当接面および閉時当接面を示す図である。
【図６】本発明が適用された緩衝装置を含む折戸を示す斜視図である。
【図７】本発明が適用された緩衝装置を含む折戸を示す平面図である。
【図８】戸枠に当接した状態の緩衝装置を示す平面図である。
【図９】ベースにおける規制部材の他の実施例を示す斜視図である。
【発明を実施するための形態】
【００１４】
以下、本発明が適用された緩衝装置１０について図面を用いて説明する。なお、以下の説明では、各符号に関し、各部位を上位概念で示す場合にはアルファベットの枝番をつけずアラビア数字のみで示し、各部位を区別する必要がある場合（すなわち下位概念で示す場合）にはアルファベット大文字の枝番をアラビア数字に付して区別する。
【００１５】
緩衝装置１０は、図１に示すように、大略、ベース１４と、移動体１６と、ダンパ１８とを備えている。
【００１６】
ベース１４は、折戸１２を構成する戸板２０の表面に取り付けられる部材であり、図１および図２に示すように、略矩形状の本体部２４と、本体部２４の端縁（図２(a)における下方端縁）に形成された一対の規制部材２６と、規制部材２６とは反対側の端縁（図２(a)における上方端縁）に形成された複数の突片２８と、一対のボルト孔３０と、ダンパ位置調整部材１９とを有している。なお、本実施例では、プレート２４、規制部材２６、および突片２８が一体的に形成されており、これとは別体としてダンパ位置調整部材１９が用意されている。
【００１７】
本体部２４は、例えば、金属製の板状材（＝プレート）であり、必要に応じてその表面に塗装が施されている。以下の説明において、本体部２４を「プレート２４」として説明する。もちろん、本体部２４の形状は、板状材に限定されるものではなく、ブロック状の本体部２４や、複雑な形状の本体部２４を用いることができる。また、移動体１６を介してプレート２４に加えられる当接対象１０２（本実施例では、戸枠１００の表面）からの応力に耐えられるものであれば、金属に限らず、樹脂等の他の材料を使用することもできる。
【００１８】
規制部材２６は、プレート２４の端縁を折り曲げることによって断面が互いに向かい合う逆「Ｌ」字状となるように形成された一対の鈎状部である。つまり、規制部材２６は、ベース１４における移動体１６がダンパ１８によって付勢される方向の端部に形成されている。移動体１６が付勢される方向の端部に規制部材２６が形成されることにより、移動体１６がベース１４から離間する方向に加えられる応力への耐力を高めることができる点で有利である。なお、ここでいう「端部」とは、文字通りプレート２４の「端」に限定されるものではなく、規制部材２６がプレート２４の端縁からやや中心寄りに形成されている場合も含む概念である。
【００１９】
規制部材２６は、移動体１６のガイド部３４（後述）と係合することにより、移動体１６の移動方向を直線方向ＳＤに規制するとともに、移動体１６がベース１４から離間する方向に移動するのを規制する役割を有している。
【００２０】
突片２８は、プレート２４における規制部材２６とは反対側の端縁部（図２(a)における上方端縁）を切り起すことによって形成されており、本実施例では、プレート２４の中心線Ｌ上に１つの突片（突片２８ａ）、および、この中心線Ｌを中心とした両側に２つ突片（突片２８b、２８c）が形成されている。もちろん、突片２８の数は本実施例のものに限られず、１つ、あるいは２つでもよいし、４つ以上であってもよい。また、突片２８の形状も本実施例のものに限られず、円柱状のものや各柱状のものを用いることができる。
【００２１】
また、本実施例では、各突片２８の表面にそれぞれ凸部６０が形成されている。さらに詳しく言えば、突片２８ａに形成された凸部６０ａは、突片２８ｂ、２８ｃに形成された凸部６０ｂ、６０ｃに対して向かい合う向きに形成されており、各突片２８をダンパ位置調整部材１９に形成された突片挿入穴４６（後述）に挿入したとき、各凸部６０がダンパ位置調整部材１９を挟持するようになっている。なお、各突片２８の先端部はケガ防止のために丸められており、また、各突片２８の高さは、規制部材２６の高さよりもやや高く設定されている。
【００２２】
ボルト孔３０は、プレート２４における両側端部（図面では左右端部）にそれぞれ１つずつ形成されたキリ孔である。ボルト孔３０の位置、数、あるいはその直径は本実施例に限定されるものではないが、できるだけ規制部材２６の近くにボルト孔３０を形成するのが、プレート２４に加えられる応力に対してより有利である点で好適である。
【００２３】
ダンパ位置調整部材１９は、図３に示すように、ベース１４に形成された３つの突片２８が挿入される複数の突片挿入穴４６が形成されたブロック状の部材である。本実施例では、樹脂製のダンパ位置調整部材１９が使用されているが、材質は特に限定されるものではない。また、ダンパ位置調整部材１９の形状もブロック状のものに限られず、円柱状のものや複雑な形状のものを用いることができる。
【００２４】
複数の突片挿入穴４６について説明すると、この突片挿入穴４６は、３つの突片２８を同時に挿入できるように、各突片２８と同じ間隔で３列に形成されており、各列では同じ方向に５つの突片挿入穴４６が形成されている。つまり、１つのダンパ位置調整部材１９に、３×５＝１５カ所の突片挿入穴４６が形成されている。このように突片挿入穴４６を形成することにより、突片２８を挿入する位置を５段階に変えることができる。もちろん、突片挿入穴４６の数は、これに限定されるものではなく、ベース１４に形成された突片２８の数、および、要求されるダンパ１８の位置調整の精度に応じて決定される。
【００２５】
また、ダンパ位置調整部材１９における突片挿入穴４６が形成された面の縁部（より正確に言えば、ダンパ１８が当接する面とは反対側の面に隣接する縁部）には、脚部４８が突設されている。この脚部４８の高さｔは、プレート２４の厚さとほぼ同じにするのが好適である。
【００２６】
脚部４８から最も離れた位置にある突片挿入穴４６に突片２８が挿入された場合、ダンパ位置調整部材１９がベース１４のプレート２４からはみ出した状態になる可能性がある。しかしながら、上述のような脚部４８を構成することにより、ダンパ位置調整部材１９がダンパ１８からの弾発力を受けたときに、当該ダンパ位置調整部材１９が不所望にぐらつくのを防止することができる。
【００２７】
移動体１６は、図４に示すように、例えばポリアセタールのような強度のある樹脂で形成された本体部３１に、当接面３２と、ガイド部３４と、ダンパ１８が収容されるダンパ収容溝３６とが一体的に形成されている。
【００２８】
当接面３２は、緩衝装置１０を戸板２０に取り付けて使用したとき、例えば戸枠１００の表面等の当接対象１０２に当接する面である。この当接面３２は、図示するように、その断面を円弧状に形成するのが好適である。
【００２９】
当接面３２の断面を円弧状に形成するのに加えて、図５に示すように、円弧状の当接面３２に連続しており、折戸１２を閉じきったときに当接対象１０２に当接する、平面状の閉時当接面３８を形成してもよい。
【００３０】
このような閉時当接面３８を形成することにより、折戸１２を閉じていったときにおいて、折戸１２が閉じきられる直前までは、円弧状断面を有する当接面３２が当接対象１０２に対して当接しており（図５(a)）、徐々にダンパ１８が縮められていく。そして、折戸１２を閉じきったときに、平面状の閉時当接面３８が当接対象１０２に対して当接する（図５(b)）。すると、平面状の閉時当接面３８は、当接対象１０２に対して「面」で接触し、ダンパ１８の弾発力によって「面」で当接対象１０２を押圧付勢するので、折戸１２が不所望に開こうとせずに折戸１２の閉状態を安定的に維持することができる点で好適である。
【００３１】
図４に戻って、ガイド部３４は、本体部３１の両側面からそれぞれ突出し、移動体１６がベース１４に対して移動する直線方向ＳＤ（図１参照）に沿って延びるように形成されている。このガイド部３４がベース１４に形成された規制部材２６と係合することにより、ベース１４に対する移動体１６の移動方向が直線方向ＳＤに規制されるとともに、移動体１６がベース１４から離間する方向へ移動することが規制されるようになっている。
【００３２】
ダンパ収容溝３６は、ダンパ１８を収容するための溝であり、本実施例では３本のダンパ１８を収容すべく３カ所のダンパ収容溝３６が形成されている。折戸１２を構成する戸板２０の大きさ等によって決まる必要な弾発力に応じて緩衝装置１０に用いられるダンパ１８の本数が決まり、これに基づいてダンパ収容溝３６の数が決定されることは言うまでもない。
【００３３】
ダンパ１８は、その一端がベース１４（本実施例では、ダンパ位置調整部材１９の側面）に当接するとともに、他端が移動体１６に当接しており（本実施例では、ダンパ収容溝３６に収容されている）、さらに、移動体１６に対する当接対象１０２からの応力によって圧縮されるとともに移動体１６に対して弾発力を付勢する部材である。本実施例では、図１に示すように、大略、シリンダ部４０と、当該シリンダ部４０から出入りするピストン軸４２と、必要に応じて設けられる、当該ピストン軸４２の先端に取り付けられた先端部材４４とで構成されたダンパ１８を使用しているが、移動体１６に対して弾発力を付勢できるものであれば、他の形式のダンパを使用してもよい。
【００３４】
また、本実施例では、上述のように移動体１６の本体部３１に所定の本数のダンパ１８を収容するダンパ収容溝３６が形成されており、ダンパ１８は移動体１６側に取り付けられることになるが、もちろん、ダンパ１８をベース１４側で収容固定してもよい。
【００３５】
次に、図６、図７および図８を用いて、本実施例の緩衝装置１０を備える折戸１２について説明する。本実施例の折戸１２は、２枚一組の戸板２０と、蝶番２２とを備えている。
【００３６】
折戸１２は、一般住宅等におけるクローゼットや物入れにアクセスするための開口を開閉するためのものであり、隣り合う戸板２０同士を蝶番２２で互いに水平方向に回動自在に連結するとともに、開口の両側縁や上縁に取り付けられた戸枠１００に対して戸板２０の上端部あるいは下端部を回動自在に保持することにより、戸板２０が相互に回動しながら開口を開閉することができるようになっている。
【００３７】
本実施例では、緩衝装置１０が戸板２０の背面（折戸１２を閉じたときにクローゼット等の内側になる面）における、戸枠１００側の端縁部に取り付けられている。なお、戸板２０の上下方向における緩衝装置１０の取り付け位置は、特に限定されるものではないが、戸板２０の高さ方向のほぼ中央部に取り付けるのが好適である。仮に、緩衝装置１０を戸板２０の上端部に取り付けたとすると、折戸１２を勢いよく閉じたとき、戸板２０の上端部には緩衝装置１０があるのでその勢いが止められる。しかしながら、その一方で、慣性力が残る戸板２０の下部はその勢いを止めることができないことから、戸板２０は一時的に上端部を支点として下部が開口の内側に入り込むように撓んだ状態になる。このような「撓み」が戸板２０に何度も生じると、戸板２０が歪んでスムースな開閉ができなくなるおそれがあるからである。
【００３８】
緩衝装置１０を取り付けた折戸１２[開けた状態（図７(a)）]から閉じていくと、緩衝装置１０の当接面３２が当接対象１０２（本実施例では、戸枠１００の表面）に当接する（図７(b)および図８(a)）。さらに折戸１２を閉じていくと、移動体１６が当接対象１０２からの押圧力を受けることにより、ベースに対して直線方向ＳＤに移動し、それに伴ってダンパ１８が圧縮されていく（図７(c)および図８(b)）。
【００３９】
ダンパ１８が圧縮されることによってシリンダ部４０にピストン軸４２が押し込まれた分だけ、ピストン軸４２を元の長さに戻そうとするダンパ１８の弾発力が増加していくので、折戸１２を閉じていくにつれて、移動体１６を当接対象１０２側に押し戻そうとする弾発力が増加していく。
【００４０】
これにより、勢いよく折戸１２を閉じたとしても、折戸１２が閉じきるころには折戸１２の勢いがダンパ１８の弾発力によって減殺されて、ゆっくりと静かに閉じきるようになる。
【００４１】
本実施例の緩衝装置１０によれば、ダンパ位置調整部材１９におけるどの突片挿入穴４６に対して、本体部（プレート）２４から突設された突片２８を挿入するかを選択することにより、簡単にダンパ１８の位置を変えて弾発力の調整を行うことができる。そのため、複数本のダンパ１８を備える場合であっても、ダンパ１８の弾発力を容易に調整することができる。
【００４２】
なお、本実施例では、断面が逆「Ｌ」字状である鈎状の規制部材２６が用いられているが、規制部材２６の形状はこれに限られるものではなく、例えば、図９に示すようなトンネル状のものであってもよい。この場合、移動体１６の本体部３１がガイド部３４を兼ねることになる。つまり、直線方向ＳＤに直交する面で本体部３１を切断し断面における四隅がトンネル状の規制部材２６と係合するガイド部３４となる。
【００４３】
また、本実施例では、ダンパ１８の弾発力は、移動体１６を介して当接対象１０２に付勢されるようになっているが、移動体１６を設けることなく、ダンパ１８が直接的に当接対象１０２に対して当接するようにしてもよい。そのようにしても、本出願に係る発明の効果を奏することができるからである。
【符号の説明】
【００４４】
１０…緩衝装置、１２…折戸、１４…ベース、１６…移動体、１８…ダンパ、１９…ダンパ位置調整部材、２０…戸板、２２…蝶番、２４…本体部（プレート）、２６…規制部材、２８…突片、３０…ボルト孔、３１…本体部、３２…当接面、３４…ガイド部、３６…ダンパ収容溝、３８…閉時当接面、４０…シリンダ部、４２…ピストン軸、４４…先端部材、４６…突片挿入穴、４８…脚部、６０…凸部、１００…戸枠、１０２…当接対象、Ｌ…中心線、ＳＤ…直線方向
【図１】
2014145180.tif 000003
【図２】
2014145180.tif 000004
【図３】
2014145180.tif 000005
【図４】
2014145180.tif 000006
【図５】
2014145180.tif 000007
【図６】
2014145180.tif 000008
【図７】
2014145180.tif 000009
【図８】
2014145180.tif 000010
【図９】
2014145180.tif 000011